(57)【要約】【課題】  身体の好みの部位をクッション部で支えることができるようにして、使い勝手を向上させたクッションを提供することを目的とする。【解決手段】  クッション体１により弾力を得るクッション部２の両端部に肩掛け紐３を連結することにより形成する。【選択図】図２
2008188272.tif 000002
【特許請求の範囲】
【請求項１】
クッション体により弾力を得るクッション部の両端部に肩掛け紐を連結したクッション。
【請求項２】
各肩掛け紐は、両端が相互に連結される単一のループを形成し、かつ、ループ長は肩に掛けたときに余長が設けられる長さに形成される請求項１記載のクッション。
【請求項３】
前記クッション体は、空気の出し入れが可能なエアクッションにより形成される請求項１および２記載のクッション。
【請求項４】
クッション体を収納する袋部の両端部に肩掛け紐を連結したクッションカバー。
【発明の詳細な説明】
【技術分野】
【０００１】
本発明は、クッションに関するものである。
【背景技術】
【０００２】
椅子など利用者が寄りかかる側ではなく、利用者側に取り付けられて使用されるクッションとしては、特許文献１に記載されたものが知られている。この従来例は、空気を内部に入れて膨らますことによりＵ字状に形成される空気枕本体（クッション部）を開放端から首にはめ込んで使用するものである。
【特許文献１】実開平０１-０１６８６４号公報
【発明の開示】
【発明が解決しようとする課題】
【０００３】
しかし、上述した従来例は、首用に形成されているために首以外の部分に使用することができず、使い勝手が悪いという欠点を有する。
【０００４】
本発明は、以上の欠点を解消すべくなされたものであって、身体の好みの部位をクッション部で支えることができるようにして、使い勝手を向上させたクッションの提供を目的とする。
【課題を解決するための手段】
【０００５】
本発明において、クッションはクッション体１により弾力を得るクッション部２の両端に肩掛け紐３を連結して形成される。クッション部２は、椅子６の背もたれ６ａなどに寄りかかったときにクッション体１の弾力を利用して身体を支える。
【０００６】
クッション部２に弾力を与えるクッション体１は、背もたれ６ａに寄りかかったときに身体を支える程度の弾力があれば良く、スポンジなどにより形成することができる。また、このクッション体１はエアクッション４により形成することもでき、このエアクッション４の内部の空気を出し入れできるように形成した場合には、使用しないときに空気を抜いておくことができ、旅行など携帯に適したものとなる。
【０００７】
一方、クッション部２に連結される肩掛け紐３は、肩に掛けることができるように形成され、肩に掛けることで身体に取り付けられて身体とクッション部２との相対位置を一定に保つことができる。また、肩掛け紐３は肩掛けに必要な長さ、すなわち肩周辺の首すじ付近から肩甲骨付近に肩掛け紐３が掛かるような長さに形成される。その結果、背もたれ６ａに寄りかかったときに支えたい部位にクッション部２が当たるようにクッション部２を位置させることができ、姿勢が変わったり背もたれ６ａから離れたりしても、再度位置合わせをする必要がない。そして、クッション部２の肩掛け紐３との連結位置により、肩や背中などの部位を支えることができ、使い勝手が良い。  
【０００８】
上述したように肩掛け紐３は、肩掛けに必要な長さがあれば良いが、肩掛け紐３の長さを肩に掛けたときに余長を設けて形成した場合には、余長によりクッション部３の位置を変えることができる。この際、肩掛け紐３の長さを腰付近までの長さにするとクッション部２で腰を支えることができ、余長により背中などにクッション部２を位置させることができ、腰以外の部分も支えることができる。
【０００９】
したがって、身体の好みの部位をクッション部２で支えることができるために、使い勝手を向上させることができる。
【００１０】
また、肩掛け紐３は、上述したように肩に掛けることができれば良く、例えば身体に取り付けるためのクリップを紐の先端に付けたようなものでも形成することができるが、単一のループであり、このループの長さを肩に掛けたときに余長を設けて形成するようにした場合には、クリップの場合のように身体に留めたりする作業が必要なく、ループ内に腕を通すだけで肩に掛けられる。この際、クッション部２の位置を変える場合には、肩掛け紐３をたぐり寄せるだけで位置を変えることができる。そして、肩掛け紐３は、紐の端部を縫い合わせるだけ簡単に作ることができる。
【００１１】
以上のようにして形成されるクッションは、肩掛け紐３と肩掛け紐３が連結されてクッション体１を収容できる袋部５を有するクッションカバーＡとして形成し、袋部にクッション体１を収容することにより別体にして形成することができる。このように別体にして形成した場合には、弾力など使い心地が異なるクッション体１を自由に選択することができたり、身体などに触れるクッションカバーの素材を滑らないような素材や汚れたら洗えるような素材に変えることができたりするために使用の自由度を高くすることができる。
【００１２】
上述したようにクッションは、別体にして形成することができるが、エアクッション４などのクッション体１に直接肩掛け紐３を連結するなどして一体に形成することもできる。このようにすれば、別体にして形成した場合に比べて、管理がしやすくなる。
【００１３】
また、樹脂によりエアクッション４を形成する場合には、肩掛け紐３も同様に樹脂により形成するようにすれば、クッション体１と肩掛け紐３との連結は溶着するだけでできるために、簡単に作ることができる。さらに、クッション体１と肩掛け紐３を１枚の樹脂シートで形成すれば、材料を有効に使うことができる。なお、クッション体１は上述したようにエアクッション４に限らずにスポンジなどでも形成することができる。
【発明の効果】
【００１４】
本発明によれば、身体の好みの部位をクッション部で支えることができるために使い勝手を向上させることができる。
【発明を実施するための最良の形態】
【００１５】
図１に示すように、クッションは、クッション体１と、このクッション体１を収容するクッションカバーＡとから構成される。
【００１６】
クッション体１は、椅子６の背もたれ６ａに寄りかかった際に所定の弾力を得ることができるスポンジなどにより形成することができ、本実施の形態では、エアクッション４により形成される。このエアクッション４は、樹脂シートを適宜溶着するなどして内部に空気を入れて膨らませることができるように袋状に形成される。そして、エアクッション４は腰や背中などを支えることができ、身体の幅に合うように矩形状に形成される。
【００１７】
また、エアクッション４には、内部の空気を出し入れできる空気栓４ａが側方に形成される。そして、この空気栓４ａは、エアクッション４が膨らんだ後に内部の膨らんだ空間の方に押し込むことができるように形成される。
【００１８】
このようにエアクッション４を形成することにより、内部の空気の出し入れができるために、使用しないときには内部の空気を抜いておけば、かさばらず携帯に便利である。また、後述するようにクッションカバーＡへの収容の際、エアクッション４を膨らませた後に袋部５へ収容することもできるが、空気栓４ａが側方に形成されるために袋部５へ収容した後に膨らませることができる。このようにすれば、使用の度にエアクッション４を袋部５から出し入れする必要がない。さらに、空気栓４ａを使用時にへこませておくことで邪魔にならない。
【００１９】
上述したように形成されるエアクッション４を収容するクッションカバーＡは、袋部５と肩掛け紐３より形成される。袋部５は、図１（ｃ）に示すように、ナイロンなどの化学繊維からなる布を適宜縫い合わせてエアクッション４を内部に収容できるように形成される。そして、袋部５の側方には、エアクッション４を出し入れでき、収容後でも空気栓４ａを突出させてエアクッション４を膨らますことができるように開口部５ａが形成される。また、この開口部５ａには、収容したクッション体１が不用意に飛び出さないように開口部５ａを覆う蓋部５ｂが形成される。なお、蓋部５ｂに代えて開口部にファスナを設けても良い。
【００２０】
また、上述した袋部５の両端部に縫いつけられて連結される肩掛け紐３が形成される。この肩掛け紐３は、ナイロンなどの化学繊維からなる紐を紐の端部を縫い合わせるなどしてそれぞれ単一のループ状すなわち、リングに形成される。なお、リングの形成は作りやすさなどを考えて、リングを形成しないで紐のまま袋部５に縫いつけてから端部を縫い合わせても良い。
【００２１】
肩掛け紐３のループ長、すなわち、肩掛け紐３の長さは、後述するように肩に掛けることができて、余長、すなわち肩に掛ける部分以外の部分を設けるように形成される。このように形成することにより、連結したクッション部２を移動させることができる。
【００２２】
この際、肩掛け紐３を肩に掛けたときに肩掛け部分からの最大の長さとなるクッション部２が垂れ下がる最下端の位置を腰付近に位置するような長さにすれば、クッション部２を腰で使用でき、さらに肩掛け紐３が取り付けられる肩の方向に身体に沿って移動させることができるために、身体の好みの部位、例えば、腰や背中などをクッション部２で支えることができる。
【００２３】
なお、上述したクッションカバーＡは、身体などに触れるなどの使用の状況を考えて滑らないような素材や汚れたら洗えるような素材で形成することができる。
【００２４】
上述したように形成されるクッションの使用は、図１（ａ）に示すように、エアクッション４を膨らませて、クッションカバーＡの開口部５ａからエアクッション４を収容させる。この際、上述したようにエアクッション４を収容した状態で、エアクッション４を膨らませて行うこともでき、このようにすれば使用の度にエアクッション４をクッションカバーＡから出し入れしたりする必要が無く、手間がかからない。
【００２５】
そして、クッション部２が身体の背中側に位置するように、肩掛け紐３のループ内に腕を通して両肩に肩掛け紐３を掛ける。したがって、図２に示すように、肩掛け紐３を肩に掛けるだけでクッション部２が最下端位置である腰付近で身体に沿うように位置する。    
【００２６】
その後、そのままの姿勢で椅子６に座り、背もたれ６ａの方向に体を傾けることでクッション部２が椅子６の背もたれ６ａと身体との間に挟み込まれ、身体を支えることができる。この際、身体を椅子６の背もたれ６ａから離しても、クッション部２は肩に掛けられた肩掛け紐３と連結されいるために身体との相対的な位置が変わることがなく、再度背もたれ６ａに寄りかかっても所定の位置でクッション部２を使用することができる。
【００２７】
また、肩掛け紐３を図２（ｂ）に示すように矢印Ａ方向にたぐり寄せるようにすれば、上述したように肩掛け部分以外の部分によりクッション部２が移動できるために、図２（ａ）、（ｂ）に示す腰付近の位置から、図２（ｃ）に示す背中付近の位置に移動させることができる。その後、クッション部２を背中を支えられるように位置させて、そのまま背もたれ６ａの方向に身体を傾ければ、背中でクッション部２を使用することができる。このようにクッション部２を移動させれば、好みの身体の部位でクッションを使用することができる。
【００２８】
図３に図１の変形例を示す。以下に示す変形例および他の実施の形態は、実施の形態と同一の部分について、同一の符号を付してその説明を省略する。 この変形例は、図２（ｂ）、（ｃ）に示すように最下端の位置から背中付近の位置にクッション部２を移動させた際に生じる肩掛け紐３の弛みを無くし、クッション部２のずり落ちを防止するために肩掛け紐３の長さを調節できるバックル７を備えて形成される。
【００２９】
バックル７は、肩掛け紐３の弛んだ部分の長さを無くすように肩掛け紐３の長さを短く調節できる程度で良く、クッション部２を引き寄せたり、しっかりと身体に押しつけたりするほどの強度は必要ないため、この変形例においては樹脂により形成される。このバックル７は、肩掛け紐３を固定する上桟７ａと下桟７ｂを備えた枠で、この上桟７ａと下桟７ｂとの間に中桟７ｃを備えた正面視日字状に形成される。
【００３０】
バックル７には、図３（ｂ）に示すように、肩掛け紐３の一端が上桟７ａと中桟７ｃとの間に通されて、上桟７ａ側に折り返されて固定される。そして、他端が上桟７ａと中桟７ｃとの間に通されて下桟７ｂ側に折り返され、下桟７ｂと中桟７ｃとの間で下桟７ｂ側に通されることにより中桟７ｃと下桟７ｂとの間に挟まれて固定される。したがって、肩掛け紐３の長さを短くする場合には、中桟７ｃに通された肩掛け紐３の固定を解除して矢印Ｂ方向側に肩掛け紐３を引っ張り、再度中桟７ｃと下桟７ｂとの間に挟むことで行うことができる。
【００３１】
図３（ｃ）、（ｄ）に示すように、クッション部２を最下端の腰付近から、身体を背もたれ６ａ方向に傾けることによりクッションを使用する。この際、腰付近で使用していたクッション体１を背中付近で使用する場合には、上述したようにバックル７の下桟７ｂに固定されている肩掛け紐３の固定を解除して、肩掛け紐３を引っ張ることにより肩掛け紐３の長さが短く、弛み部分が無くなるために、クッション体１が移動できなくなる。したがって、身体を背もたれ６ａから離してしまっても、クッション体１が肩掛け紐３が設定した最下端位置である腰付近にずり落ちてしまうことがない。
【００３２】
図４に図１の他の変形例を示す。この変形例は、肩掛け紐３にクッション部２のずり落ちを防止するために固定紐８を形成したものである。各肩掛け紐３には、互いに結ぶことができる固定紐８が形成される。この固定紐８を互いに結び合わせることにより肩掛け紐３が身体の中心方向に引き寄せられる。このことにより、身体の背面側に位置しているクッション部２が身体の正面方向に引っ張られ、身体に押し付けられるためにクッション部２の移動ができなくなる。
【００３３】
したがって、図４（ｂ）に示すように、クッション部２を最下端から背中付近に移動させて使用した場合、移動後に各固定紐８を結び、上述したように肩掛け紐３を体の中心方向に引き寄せることで背側に位置するクッション部２が身体方向に押しつけられ、クッション部２の位置が固定されるために身体を背もたれ６ａから離してもクッション部２の移動ができないために背中付近から最下端である腰付近にずれ落ちることがない。
【００３４】
次に、図５に他の実施の形態について説明する。図２に示した実施の形態は、クッションカバーＡとクッション体１を別体に形成して、クッションカバーＡにクッション体１を収容することによりクッションとして使用するようにしたものであるが、本実施の形態は、クッション体１に直接肩掛け紐３を連結して一体に形成したものである。
【００３５】
図５に示すように、クッションはクッション体１と肩掛け紐３とにより形成される。エアクッション４は、実施の形態と同様に、樹脂製で空気栓４ａを有する矩形状のエアクッション４により形成される。また、肩掛け紐３は、エアクッション４と同様に樹脂により形成され、エアクッション４の使用箇所に応じて長さがきめられる。そして、肩掛け紐３をエアクッション４の両端部の側部に溶着される。
【００３６】
以上のように、エアクッション４と同様の樹脂により形成することにより、肩掛け紐３をエアクッション４に溶着するだけで簡単に形成することができ、それぞればらばらにならないために管理がしやすい。さらに、１枚の樹脂シートからエアクッション４と肩掛け紐３を形成するようにすれば、材料を有効に利用することができる。
【００３７】
クッションの使用に関しては、上述した実施の形態と同様に両肩に肩掛け紐３を掛けてクッション体１を位置させて、体を背もたれ６ａ側に傾けることで使用する。
【００３８】
また、使用後はエアクッション４内の空気を抜いて小さくすることができ、肩掛け紐３とクッション体１とで一体に形成されているために別体に形成した場合に比べてクッション体１と肩掛け紐３をそれぞれ管理する必要がない。
【図面の簡単な説明】
【００３９】
【図１】本発明を示す図で、（ａ）はクッション部のクッションカバーへの挿入を示す図、（ｂ）はクッション部の側面図、（ｃ）はクッション部の正面図である。
【図２】クッションを使用した状態を示す図で、（ａ）は背面図、（ｂ）は腰付近で使用した状態を示す図、（ｃ）は、背中付近で使用した状態を示す図である。
【図３】変形例を示す図で、（ａ）は正面図、（ｂ）は４Ｂ-４Ｂ線拡大断面図、（ｃ）は腰付近で使用した状態を示す図、（ｄ）は、背中付近で使用した状態を示す図である。
【図４】他の変形例を示す図で、（ａ）は正面図、（ｂ）は固定紐を結んだ状態を示す図、（ｃ）は、背中付近で使用した状態を示す図である。
【図５】他の実施の形態を示す図である。
【符号の説明】
【００４０】
１    クッション体
２    クッション部
３    肩掛け紐
４    エアクッション
５    袋部
【図１】
2008188272.tif 000003
【図２】
2008188272.tif 000004
【図３】
2008188272.tif 000005
【図４】
2008188272.tif 000006
【図５】
2008188272.tif 000007